(57)【要約】【課題】狭ピッチ化を実現できるとともに、被実装部品を実装することのできる高さを確保することのできる積層実装構造体及び積層実装構造体の製造方法を提供する。【解決手段】少なくとも一方の主面上に被実装部品を設置、動作するために必要な実装領域、及び、被実装部品が動作するための信号伝達のための接続用領域、を備える複数の部材と、対向する部材との間の接続用領域に配置された導電部材と、を有し、導電部材の断面は、接続用領域と同じ又はそれより小さく、導電部材の端部は一方の部材主面から他方の部材主面に達し、導電部材の高さは、実装領域の間隔を規定する。【選択図】図１
2014013947.tif 000002
【特許請求の範囲】
【請求項１】
少なくとも一方の主面上に被実装部品を設置、動作するために必要な実装領域、及び、前記被実装部品が動作するための信号伝達のための接続用領域、を備える複数の部材と、
対向する前記部材との間の前記接続用領域に配置された導電部材と、を有し、
前記導電部材の断面は、前記接続用領域と同じ又はそれより小さく、前記導電部材の端部は前記一方の部材主面から他方の部材主面に達し、前記導電部材の高さは、前記実装領域の間隔を規定することを特徴とする積層実装構造体。
【請求項２】
前記導電部材の周囲に補強部材が設置されていることを特徴とする請求項１に記載の積層実装構造体。
【請求項３】
前記実装領域には前記被実装部品が実装されており、
前記複数の部材間の実装領域の間隔は前記被実装部品の高さより高いことを特徴とする請求項１又は請求項２に記載の積層実装構造体。
【請求項４】
前記補強部材は、対向する前記部材の間の実装領域に充填されていることを特徴とする請求項１から請求項３のいずれか一項に記載の積層実装構造体。
【請求項５】
前記導電部材が棒形状であることを特徴とする請求項１から請求項４のいずれか一項に記載の積層実装構造体。
【請求項６】
前記導電部材は、一方の端部が連結された状態において、他方の端部を前記部材に実装した後、前記連結された部分を除去してなることを特徴とする請求項１から請求項５のいずれか一項に記載の積層実装構造体。
【請求項７】
前記補強部材の一方の端部に、少なくとも一部が導電部材と電気的に接続された導電パターンが形成されていることを特徴とする請求項１から請求項６のいずれか一項に記載の積層実装構造体。
【請求項８】
第１の部材に、被実装部品及び前記被実装部品の高さより高い導電部材を実装する工程と、
前記第１の部材上の前記導電部材の周囲に、前記導電部材の前記第１の部材と逆側の端部を露出させて補強部材を形成する補強工程と、を備え、
前記補強工程において、前記補強部材の前記第１の部材と逆の面を研磨して平坦化すると共に導電部材の端部を露出させることを特徴とする積層実装構造体の製造方法。
【請求項９】
前記導電部材の前記第１の部材と逆側の端部を露出させて前記補強部材を形成した後、露出した前記導電部材の端部表面に金属膜を形成する工程と、
前記導電部材端部表面の金属膜上にバンプを形成する工程と、を備えることを特徴とする請求項８に記載の積層実装構造体の製造方法。
【請求項１０】
前記導電部材の一方の端部を、複数の前記導電体が連結された状態に形成する連結工程をさらに備えることを特徴とする請求項８または請求項９に記載の積層実装構造体の製造方法。
【請求項１１】
前記第１の部材は複数のモジュールに相当する大きさであり、絶縁材料形成工程の後に個片化工程を備える請求項８から請求項１０のいずれか一項に記載の積層実装構造体の製造方法。
【発明の詳細な説明】
【技術分野】
【０００１】
本発明は、積層実装構造体及び積層実装構造体の製造方法に関するものである。
【背景技術】
【０００２】
従来、積層された電子回路基板を接続する基板間接続部材として、特許文献１（特開２００１−１４４３９９号公報）に記載された基板間接続部材があった。この基板間接続部材は、剛性を有する導体からなる芯体を弾性体で覆うとともに、弾性体の周囲を導電性を有する材料で被覆するものである。基板間接続部材をこのように構成することにより、補修作業に際して電子回路基板を分離するのに加熱が必要でないという効果がある。
【０００３】
また、別の従来例として、電子部品を内蔵していながら小型で高密度の基板を実現するために、配線基板本体の貫通穴に樹脂により電子部品を固定した後、樹脂に研磨や穴あけの加工を行うことで電子部品の電極を露出させ、さらに配線基板本体の表裏面に配線層を形成するものが提案されていた。
【先行技術文献】
【特許文献】
【０００４】
【特許文献１】特開２００１−１４４３９９号公報
【発明の概要】
【発明が解決しようとする課題】
【０００５】
しかしながら、特許文献１に記載の基板間接続部材は、狭ピッチ化が可能であったとしても以下の課題があった。すなわち、（１）積層された電子回路基板を互いに着脱することを前提としたものであり、（２）接続部材を複数形成する場合の凹部への位置あわせ及び組み立てが困難であり、（３）電子回路基板を多数積層することは考慮されていない、（４）少なくとも芯体と弾性体という二つの部材が必要であるため小型化が困難であった。
【０００６】
また、上記別の従来例は、基板厚さ内に内蔵できる電子部品は基板厚さより高さが小さい部品に限られている上に、基板本体表裏面の配線層を電子部品を介して接続しなければならず、配線層の設計上の制約が大きいという課題があった。基板本体表裏面の配線層を電子部品を介さずに接続する場合には、スルーホールを介して接続することはできるが、スルーホール径よりも大きな電極パッド（ランド電極）を設ける必要があり、基板接続部の狭ピッチ化が難しいため、基板主面の面積を小さくするのには限界があった。
【０００７】
本発明は、上記に鑑みてなされたものであって、狭ピッチ化を実現できるとともに、被実装部品を実装することのできる高さを確保することのできる積層実装構造体及び積層実装構造体の製造方法を提供することを目的とする。また、本発明のさらなる目的は、基板の配線自由度が高く、基板接続部の狭ピッチ化が可能なことにより、基板主面の面積が小さい積層実装構造体を提供することにある。
【課題を解決するための手段】
【０００８】
上述した課題を解決し、目的を達成するために、本発明の積層実装構造体は、少なくとも一方の主面上に被実装部品を設置、動作するために必要な実装領域、及び、被実装部品が動作するための信号伝達のための接続用領域、を備える複数の部材と、対向する部材との間の接続用領域に配置された導電部材と、を有し、導電部材の断面は、接続用領域と同じ又はそれより小さく、導電部材の端部は一方の部材主面から他方の部材主面に達し、導電部材の高さは、実装領域の間隔を規定することを特徴としている。
【０００９】
本発明の積層実装構造体において、導電部材の周囲に補強部材が設置されていることが好ましい。
【００１０】
本発明の積層実装構造体において、実装領域には被実装部品が実装されており、複数の部材間の実装領域の間隔は被実装部品の高さより高いことが望ましい。
【００１１】
本発明の積層実装構造体において、補強部材は、対向する部材の間の実装領域に充填されているとよい。
【００１２】
本発明の積層実装構造体において、導電部材が棒形状であることが好ましい。
【００１３】
本発明の積層実装構造体において、導電部材は、一方の端部が連結された状態において、他方の端部を前記部材に実装した後、前記連結された部分を除去してなることが望ましい。
【００１４】
本発明の積層実装構造体において、補強部材の一方の端部に、少なくとも一部が導電部材と電気的に接続された導電パターンが形成されていることが好ましい。
【００１５】
また、本発明の積層実装構造体の製造方法は、第１の部材に、被実装部品及び被実装部品の高さより高い導電部材を実装する工程と、第１の部材上の導電部材の周囲に、導電部材の第１の部材と逆側の端部を露出させて補強部材を形成する補強工程と、を備え、補強工程において、補強部材の第１の部材と逆の面を研磨して平坦化すると共に導電部材の端部を露出させることを特徴としている。
【００１６】
本発明の積層実装構造体の製造方法において、導電部材の一方の端部を、複数の前記導電体が連結された状態に形成する連結工程をさらに備えることが望ましい。
【００１７】
本発明の積層実装構造体の製造方法において、導電部材の第１の部材と逆側の端部を露出させて補強部材を形成した後、露出した導電部材の端部表面に金属膜を形成する工程と、導電部材端部表面の金属膜上にバンプを形成する工程と、を備えることが好ましい。
【００１８】
本発明の積層実装構造体の製造方法において、第１の部材は複数のモジュールに相当する大きさであり、絶縁材料形成工程の後に個片化工程を備えるとよい。
【発明の効果】
【００１９】
本発明にかかる積層実装構造体及び積層実装構造体の製造方法によれば、狭ピッチ化を実現できるとともに、被実装部品を実装することのできる高さを確保することのできる積層実装構造体及び積層実装構造体の製造方法を提供することができるという効果を奏する。
【図面の簡単な説明】
【００２０】
【図１】実施例１にかかる積層実装構造体の構成を、第１の基板と第２の基板に分離して示す斜視図である。
【図２】実施例１に係る積層実装構造体の構成を示す断面図である。
【図３】実施例２にかかる積層実装構造体の構成を、第１の基板と第２の基板に分離して示す斜視図である。
【図４】実施例２に係る導電部材と補強部材の関係を示す拡大斜視図である。
【図５】実施例３に係る積層実装構造体の構成を示す斜視図である。
【図６】実施例４に係る積層実装構造体の製造方法の流れを示すフローチャートである。
【図７】実施例５に係る積層実装構造体の製造方法の流れを示すフローチャートである。
【図８】実施例６に係る積層実装構造体の製造方法の流れを示すフローチャートである。
【図９】右側が図８のＳ１〜Ｓ６の工程に対応した積層実装構造体の構成を示す拡大    斜視図であり、左側は右側図の個片化された積層実装構造体の集合状態を示す斜視図である。
【図１０】図８のＳ１〜Ｓ６の工程に対応した積層実装構造体の構成を示す側面図である。
【図１１】変形例に係る積層実装構造体の構成を示す斜視図である。
【図１２】変形例に係る積層実装構造体の製造方法の流れを示すフローチャートである。
【発明を実施するための形態】
【００２１】
以下に、本発明にかかる積層実装構造体及び積層実装構造体の製造方法の実施例を図面に基づいて詳細に説明する。なお、この実施例によりこの発明が限定されるものではない。
本発明に係る積層実装構造体の製造方法は、回路基板上に被実装部品を実装すると同時に、その中の最も背の高い部品より長い導電部材を、回路基板上の電極に基板と垂直に固定・接続し、導電部材と被実装部品の間隙に樹脂を充填した後、研磨によって導電部材の頭部のみを露出させる。露出した導電部材に対して、第２の基板を接続、もしくは研磨面に印刷によって回路を形成することで、上下の回路基板を電気的、機械的に接続固定するものであって、これにより本発明に係る積層実装構造体が形成される。以下に具体的な実施例について説明する。
【実施例１】
【００２２】
図１は、本発明にかかる積層実装構造体の実施例１の構成を、第１の基板２０と第２の基板３０に分離して示す斜視図である。図２は、実施例１に係る積層実装構造体１０の構成を示す断面図である。
【００２３】
図１に示すように、第１の基板２０の主面２０ａには電子部品２６が実装されている。また、第２の基板３０には電子部品３６が実装されている。第１の基板２０と第２の基板３０は対向して配置される。第１の基板２０及び第２の基板３０には多層基板や電子部品内蔵基板を用いても良い。
【００２４】
第１の基板２０の電子部品２６の間には電極２２が設けられており、電極２２上に略円柱状の導電部材２１が設置されている。導電部材２１の長さは全て略同一であり、第１の基板２０に実装された電子部品２６の中で最も高い高さよりも大きい。また、導電部材２１の長さ方向と垂直な直交断面積は電極２２の面積と同等以下となっている。
【００２５】
導電部材２１は、円柱状の部品を用いれば、線材から切り出すことで容易に作成できる。このとき、導電部材２１の第１の基板２０に実装する側の端部の径を大きくしておけば、第１の基板２０への実装を容易かつ確実に行うことができる。一方、導電部材の第１の基板２０と逆側の端部は、いくつかの導電部材がつながった状態で実装することもできる。
【００２６】
導電部材２１は、電気抵抗の低い材料（例えばＣｕ（銅））を用いることが好ましい。また、導電部材２１の表面には、母材の酸化を防止するために、例えばＡｕ（金）メッキを施すことが好ましい。さらに、導電部材２１には、はんだづけを容易にするための表面処理が施されており、導電部材２１の一方の端部と電極２２ははんだづけで導電接合されている。なお、はんだづけに代えて、例えば、異方導電性材料を用いたＡＣＰ工法やＡＣＦ工法、ＮＣＰ工法による接触導電によって導通をとることもできる。
【００２７】
図２に示すように、第１の基板２０及び第２の基板３０には配線層２４、３４がそれぞれ形成されている。第１の基板２０上の電子部品２６と導電部材２１の周囲には、樹脂の絶縁材料（補強部材）が充填硬化されて絶縁層２３が形成されている。この絶縁層２３においては、第２の基板３０側の面（上面）２３ａから、導電部材２１の第２の基板３０側の端部２１ａのみが露出している。
【００２８】
第２の基板３０の第１の基板２０と対向する面３０ａの導電部材２１と対向する位置には、電極３２が設置されている。第２の基板３０は、第１の基板２０の導電部材２１の端部２１ａと電極３２とが電気的に接続されるように、絶縁材料２３表面に接合される。なお、第２の基板３０の露出面上の電極（不図示）に導電部材（不図示）を設置するなどし、積層数を更に増やしてもよい。
【００２９】
実施例１では、上下の回路基板を接続する導電部材は電子部品間に自由に配置できるため、各基板の配線設計の制約となることがない。さらに、導電部材を実装する電極はスルーホール電極でないためランド電極が必要なく、導電部材を狭ピッチで配置することができるため、基板主面の面積が小さい積層実装構造体を提供することができる。また、基板への貫通穴加工や、凹部加工を必要としないため、低価格でかつ基板主面の面積が小さい積層実装構造体を提供することができる。
【実施例２】
【００３０】
図３は、本発明にかかる積層実装構造体の実施例２の構成を、第１の基板５０と第２の基板６０に分離して示す斜視図である。図４は、実施例２に係る導電部材と補強部材の関係を示す拡大斜視図である。
【００３１】
実施例２においては、導電部材５１の周囲に実装領域の一部又は全部を露出させた状態で補強部材５７を形成している点が実施例１と異なる。すなわち、実施例１の積層実装構造体１０における第１の基板２０、導電部材２１、電極２２、電子部品２６、第２の基板３０、電子部品３６が、実施例２の積層実装構造体４０における第１の基板５０、導電部材５１、電極５２、電子部品５６、第２の基板６０、電子部品６６に、それぞれ対応する。また、図示しないが、実施例２の積層実装構造体４０においても、実施例１の積層実装構造体１０の配線層２４、３４と同様の配線層が形成されている。
【００３２】
実施例２では、補強部材形成後において電子部品が露出しているため、第２の基板を接続する直前に電子部品の検査を行うことができ、積層実装構造体の不良品を減らすことが出来る。
【００３３】
図４に例示するように、導電部材５１の周囲には、第２の基板６０側の端部５１ａを残すように補強部材５７を配置している。補強部材５７としては、例えば、導電部材５１の周囲に配置するときには液状であって、配置の後に硬化する物質を用いる。
【実施例３】
【００３４】
図５は、本発明に係る積層実装構造体の実施例３の構成を示す斜視図である。
実施例３の積層実装構造体７０においては、実施例１の絶縁層２３と同様に、第１の基板８０上の電子部品（不図示）と導電部材８１の周囲に樹脂の絶縁材料による絶縁層８３が形成されるとともに、この絶縁層８３のうち、第１の基板８０から遠い面において、導電部材８１を接続するように配線８８が形成されている。すなわち実施例３においては、実施例１の第２の基板３０及び実施例２の第２の基板６０のような第２の基板を載置することなく、絶縁層８３上に直接配線８８を形成している。なお、配線８８の形成方法はメッキ、スパッタ、蒸着やインクジェットやディスペンスによる印刷配線を用いれば良い。このような構成としたことにより、第２の基板の基材部分が不要となるため、設計の自由度を上げることができるとともに、積層高さが低くかつ基板主面の面積が小さい積層実装構造体を提供することができる。
【００３５】
（変形例）
次に、積層実装構造体の変形例を説明する。図１１（ａ）、（ｂ）、（ｃ）、（ｄ）は、変形例にかかる積層実装構造体の構成を示している。
上述したように、導電部材２１の第１の基板２０と逆側の端部は、いくつかの導電部材２１がつながった状態で実装することもできる。いくつかの導電部材がつながった状態は、基材１００上にＣｕなどのメッキで導電部材２１を形成すること、またはＣｕなどの導電材料の板１００にプレス加工を行うこと等で形成できる（図１１（ａ））。
本例では、連結した導電部材２１を第１の基板２０と別に製作して、第１の基板２０に接続している。図１１（ｂ）は、ピン基板接合の状態を示している。そして、図１１（ｃ）に示すように、第１の基板２０と導電部材２１が連結された部分の間に樹脂を塗布、硬化させる。ここで、先に第１の基板２０に樹脂を塗布しておいても良い。
【００３６】
第１の基板２０と導電部材２１とが連結された部分を研磨で除去して、各導電部材２１を露出させる。露出した導電部材２１の端部に導電部材２１の酸化を防ぐ金属膜を形成する。最後に、図１１（ｄ）に示すように第２の基板３０を積層して、基板２０、３０間を接続する。これにより、積層実装構造体を形成する。このため、電子部品２６の高さが、例えば０．３ｍｍから１ｍｍなど比較的高い場合において、電子部品２６の高さよりも長い導電部材２１を第１の基板２０の主面２０ａに自在に配置して、第１の基板２０と第２の基板３０を接続できる。また、接続ピッチを狭ピッチ化できる。
【００３７】
このように、導電部材２１は、一方の端部が複数連結された状態で第１の基板２０に一括して実装している。このため、導電部材２１を容易に実装できる。また、突起電極は一括して製作できるため、より狭いピッチ化が可能である。この結果、積層実装構造体を容易に小さく製造できる。
【００３８】
つづいて、本発明に係る積層実装構造体の製造方法について、実施例４から実施例６を挙げて説明する。
【実施例４】
【００３９】
図６は、実施例４に係る積層実装構造体の製造方法の流れを示すフローチャートである。実施例４の製造方法は、実施例１から実施例３及び変形例に適用することができ、実施例４から実施例６の説明においては、実施例１の符号を用いることとする。
【００４０】
まず、第１の基板２０に電子部品２６を実装する（ステップＳ１）と同時に、第１の基板２０の電極２２上に導電部材２１を実装する（ステップＳ２）。前者の実装は、一般的な表面実装プロセス等を用いればよい。また、後者の実装を例えばはんだづけで行う場合は、電極２２上にクリームハンダとフラックスを印刷法等により供給しておき、実装装置や治具を用いて導電部材を電極２２上に位置決め固定して加熱することで、導電部材２１を実装することができる。なお、第１の基板２０への電子部品２６及び導電部材２１の実装は、電子部品２６を実装した後に導電部材２１を実装してもよいし（実施例５又は実施例６を参照）、その逆でもよい。
【００４１】
次に、電子部品２６と導電部材２１が実装された第１の基板２０上に、導電部材２１の第１の基板２０と逆側（第２の基板３０側）の端面２１ａが露出する様に、液状封止樹脂等を塗布し、硬化させることで、第１の基板２０上の電子部品２６と導電部材２１の周囲に絶縁層２３を形成する。これにより、導電部材２１及び電子部品２６を封止する（ステップＳ３）。樹脂の硬化方法は熱硬化や２液混合などがある。第１の基板２０の外形や所望の硬化後形状に合わせた型を用いれば硬化後の樹脂形状を容易に整えることが出来る。なお、実施例４を実施例２に適用する場合は、ステップＳ３において、樹脂の封止に代えて、補強部材を導電部材の周囲に配置する。
【００４２】
その後、導電部材２１の第１の基板２０と逆側の端面上に形成した金属膜状のバンプを介して、第２の基板３０を第１の基板２０に対して積層接続する。なお、実施例４を実施例３に適用する場合は、第２の基板３０を積層することなく、絶縁層２３の第１の基板２０と逆側の面２３ａに直接配線を形成する。
【００４３】
以上の工程により積層実装構造体を製造するため、非常に少ない工程で、基板主面の面積が小さい積層実装構造体を提供することができる。
【実施例５】
【００４４】
図７は、実施例５に係る積層実装構造体の製造方法の流れを示すフローチャートである。実施例５は、電子部品実装（ステップＳ１）、導電部材実装（ステップＳ２）、及び樹脂封止（ステップＳ３）の各工程が実施例４と共通しているため、これらの工程についての説明は省略する。
【００４５】
樹脂封止（ステップＳ３）の後に、絶縁層２３の第１の基板２０の主面２０ａと平行を保つように、絶縁層２３の上面２３ａを研磨し、平坦化するとともに導電部材２１の第１の基板２０と逆側の端面２１ａを各々露出させる（ステップＳ４）。
【００４６】
次に、露出した導電部材２１の端面２１ａ上に金属膜（ＵＢＭ層）を形成する（ステップＳ５）。金属膜を形成することにより、導電部材２１の酸化等を防ぐことができ、後の工程のバンプ形成時に電気抵抗が低く、高い強度のバンプを形成することができる。
【００４７】
つづいて、露出した導電部材２１の端面２１ａ上に形成した金属膜上にバンプを形成する（ステップＳ６）。バンプ材質としては、はんだやＡｕを用いることができる。
その後、導電部材２１の端面２１ａ上に形成した金属膜上のバンプ２９（図９、図１０）を介して第２の基板３０を積層接続する。
【００４８】
このような方法で積層実装構造体を製造することにより、絶縁層２３の上面２３ａが平坦化され、かつ、確実に第１の基板２０の主面２０ａと平行になるため、導電部材２１の端面２１ａは、第２の基板３０が接続しやすいような構造となる。したがって、第１の基板２０と第２の基板３０との接続品質が高く、かつ、基板主面の面積が小さい積層実装構造体を提供することができる。
【実施例６】
【００４９】
図８は、実施例６に係る積層実装構造体の製造方法の流れを示すフローチャートである。図９は、右側が図８のＳ１〜Ｓ６の工程に対応した積層実装構造体の構成を示す拡大斜視図であり、左側は右側図の個片化された積層実装構造体の集合状態を示す斜視図である。図１０は、図８のＳ１〜Ｓ６の工程に対応した積層実装構造体の構成を示す側面図である。
【００５０】
実施例６は、電子部品実装（ステップＳ１）、導電部材実装（ステップＳ２）、樹脂封止（ステップＳ３）、研磨（ステップＳ４）、ＵＢＭ層形成（ステップＳ５）、及びバンプ形成（ステップＳ６）の各工程が実施例５と共通している。バンプ２９の形成後に、第１の基板２０には、複数のモジュール９０が形成されており、ダイシングなどの個片化工程により個別モジュール化する（ステップＳ７）。
【００５１】
このような製造方法によれば、複数のモジュールを一度に製作できるため、モジュール製造のコストが低くかつ基板主面の面積が小さい積層実装構造体を提供することができる。
【００５２】
（変形例）
図１２は、変形例に係る積層実装構造体の製造方法の流れを示すフローチャートである。すでに上述している各実施例の工程と同じ内容については、同一の符号を付し、重複する説明は省略する。まず、本変形例において、まず第１の基板２０に電子部品２６を実装する（ステップＳ１）。
基材１００上の第１の基板２０の電子部品２６の間に設けられた電極と対向する位置に、Ｃｕをメッキで成長させる。これにより、いくつかの導電部材２１の一方の端部が連結された状態を形成する（ステップＳ２ａ）。
【００５３】
導電部材２１の一方の端部がつながった状態は、基材１００へＣｕをメッキで形成すること、さらにはＣｕ等の導電材料の板１００にプレス加工を行う等で導電部材２１を形成すること、棒状の電導部材２１を治具に並べた状態で端面にメッキすること等の種々の方法を用いることができる。導電部材２１の高さ（長さ）は、電子部品２６の高さよりも大きいように形成されている。
【００５４】
導電部材２１の連結されていない側の端部を第１の基板２０の主面２０ａの電極にはんだ等で接合する（ステップＳ２）。導電部材２１の一方の端部が連結された状態で、その表面にＡｕメッキ等を施しておけば、Ｃｕの酸化を防止してはんだづけを確実に行うことができる。
【００５５】
第１の基板２０と導電部材２１が連結された部分の間に樹脂を塗布、硬化させる（ステップＳ３）。ここで、先に第１の基板２０に樹脂を塗布しておいても良い。
【００５６】
第１の基板２０と導電部材２１とが連結された部分を研磨で除去して、各導電部材２１を露出させる（ステップＳ４）。導電部材２１の周囲は樹脂で補強されている。このため、安定して導電部材２１を研磨できる。さらに、研磨により導電部材２１の高さ（長さ）を精密に揃えることができる。このため、用いる導電部材２１の長さの公差を広げることが出来る。
【００５７】
電子部品２６の高さが、例えば０．３ｍｍから１ｍｍなど比較的高い場合において、電子部品２６の高さよりも長い導電部材２１を第１の基板２０の主面２０ａに自在に配置して、第１の基板２０と第２の基板３０を接続できる。また、接続ピッチを狭ピッチ化できる。
【００５８】
その後、露出した導電部材２１の端部に導電部材２１の酸化を防ぐ金属膜を形成する。そして、第２の基板３０を接続することで積層実装構造体を形成する。
【００５９】
このように、導電部材２１は、一方の端部が複数連結された状態で第１の基板２０に一括して実装している。このため、導電部材２１を容易に実装できる。また、突起電極は一括して製作できるため、より狭いピッチ化が可能である。この結果、積層実装構造体を容易に小さく製造できる。
【００６０】
以上説明したように、本発明によれば、上下の回路基板を接続する導電部材は電子部品間に自由に配置できるため、各基板の配線設計の制約となることがない。さらに、導電部材を実装する電極はスルーホール電極でないためランド電極が必要なく、導電部材を狭ピッチで配置することができるため、基板主面の面積が小さい積層実装構造体を提供することができる。
【産業上の利用可能性】
【００６１】
以上のように、本発明にかかる積層実装構造体及び積層実装構造体の製造方法は、実装構造体の小型化に有用であり、特に、内視鏡先端撮像ユニットの高密度実装に適している。
【符号の説明】
【００６２】
１０    積層実装構造体
２０    第１の基板
２０ａ  主面
２１    導電部材
２１ａ  端部
２２    電極
２３    絶縁層
２３ａ  上面
２４    配線層
２６    電子部品
２９    バンプ
３０    第２の基板
３２    電極
３４    配線層
３６    電子部品
４０    積層実装構造体
５０    第１の基板
５１    導電部材
５２    電極
５６    電子部品
５７    補強部材
６０    第２の基板
６６    電子部品
７０    積層実装構造体
８０    第１の基板
８１    導電部材
８３    絶縁層
８８    配線
９０    モジュール
【図１】
2014013947.tif 000003
【図２】
2014013947.tif 000004
【図３】
2014013947.tif 000005
【図４】
2014013947.tif 000006
【図５】
2014013947.tif 000007
【図６】
2014013947.tif 000008
【図７】
2014013947.tif 000009
【図８】
2014013947.tif 000010
【図９】
2014013947.tif 000011
【図１０】
2014013947.tif 000012
【図１１】
2014013947.tif 000013
【図１２】
2014013947.tif 000014
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
第１の部材に、被実装部品を実装する工程と、
前記被実装部品の高さより高い複数の導電部材の一方の端部が連結された状態を形成する連結工程と、
前記被実装部品を実装した前記第１の部材表面に、前記複数の導電部材の連結した一方の端部とは逆側の端部を一括して接合し実装する工程と、
前記第１の部材と前記複数の導電部材が連結された部分の間に補強部材を形成する補強工程と、
前記複数の導電部材が連結された部分を研磨で除去して、前記複数の導電部材の端部を露出させる研磨工程と、
露出した前記導電部材の端部表面に金属膜を形成する工程と、
前記導電部材の端部表面の金属膜上にバンプを形成する工程と、を備えることを特徴とする積層実装構造体の製造方法。
【請求項２】
前記積層実装構造体には、複数のモジュールが形成されており、前記複数の導電部材位置を避けてダイシングすることにより個別モジュール化する個片化工程を、更に有することを特徴とする請求項１に記載の積層実装構造体の製造方法。
【請求項３】
前記連結工程は、基材へ導電材料をメッキすることで形成することを特徴とする請求項１に記載の積層実装構造体の製造方法。
【請求項４】
前記連結工程は、導電材料の板にプレス加工を行うことで形成することを特徴とする請求項１に記載の積層実装構造体の製造方法。
【請求項５】
前記連結工程は、棒状の電導部材を治具に並べた状態で端面にメッキすることで形成することを特徴とする請求項１に記載の積層実装構造体の製造方法。
【手続補正２】
【補正対象書類名】明細書
【補正対象項目名】０００８
【補正方法】変更
【補正の内容】
【０００８】
上述した課題を解決し、目的を達成するために、本発明の積層実装構造体の製造方法は、  第１の部材に、被実装部品を実装する工程と、被実装部品の高さより高い複数の導電部材の一方の端部が連結された状態を形成する連結工程と、被実装部品を実装した第１の部材表面に、複数の導電部材の連結した一方の端部とは逆側の端部を一括して接合し実装する工程と、第１の部材と複数の導電部材が連結された部分の間に補強部材を形成する補強工程と、複数の導電部材が連結された部分を研磨で除去して、複数の導電部材の端部を露出させる研磨工程と、露出した導電部材の端部表面に金属膜を形成する工程と、導電部材の端部表面の金属膜上にバンプを形成する工程と、を備えることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明にかかる積層実装構造体の製造方法によれば、狭ピッチ化を実現できるとともに、被実装部品を実装することのできる高さを確保することのできる積層実装構造体の製造方法を提供することができるという効果を奏する。
【手続補正１４】
【補正対象書類名】明細書
【補正対象項目名】００６１
【補正方法】変更
【補正の内容】
【００６１】
以上のように、本発明にかかる積層実装構造体の製造方法は、実装構造体の小型化に有用であり、特に、内視鏡先端撮像ユニットの高密度実装に適している。